(57)【要約】【課題】この発明は、販売展示においては吊下げ用として使用しうる吊下げ片部を、不要時には簡単に切断することができるようにした構造に関する。【解決手段】この発明の陳列用収納ケースは、ケース本体と蓋体とを備え、上記ケース本体または蓋体の外壁面に、基端部に設けた薄肉部を切断することにより除去可能な吊下げ片部を一体形成した構成からなっており、吊下げ片部の基端部に設けられた薄肉部が、吊下げ片部の広面の少なくとも一方の面に形成された広面側薄肉部と、該広面側薄肉部の長手方向の少なくとも一方の端部で内向き切り欠かれた端部側切欠部とからなっていることを特徴とする。【選択図】　図１
2004121692.tif 000002
【特許請求の範囲】
【請求項１】
ケース本体と蓋体とを備え、上記ケース本体または蓋体の外壁面に、基端部に設けた薄肉部を切断することにより除去可能な吊下げ片部を一体形成したプラスチック製の陳列用収納ケースにおいて、
吊下げ片部の基端部に設けられた薄肉部が、吊下げ片部の広面の少なくとも一方の面に形成された広面側薄肉部と、該広面側薄肉部の長手方向の少なくとも一方の端部で内向きに切り欠かれた端部側切欠部とからなっていることを特徴とする陳列用収納ケース。
【請求項２】
広面側薄肉部が吊下げ片部の広面の一方または双方の面に形成されており、端部側切欠部が、広面側薄肉部の長手方向の両端に形成されていることを特徴とする請求項１に記載の陳列用収納ケース。
【請求項３】
広面側薄肉部に１または複数の貫通孔部が形成されていることを特徴とする請求項１に記載の陳列用収納ケース。
【発明の詳細な説明】
【０００１】
【産業上の利用分野】
この発明は、収納ケースを陳列するための吊下げ片部を、簡単に切り取りやすくした陳列用収納ケースの改良に関する。
【０００２】
【従来の技術】
従来、吊下げ片部としてフックを有するプラスチック製の陳列用収納ケースが知られており、内容物を収納するケースとして購入後も使用されている。
そこで、販売展示においては吊下げ形態を選択できて展示形態の自由度を広げるとともに、購入後は収納ケースとして使いやすいようにフックを切断する構造として、ケース本体と蓋体とを備え、上記ケース本体または蓋体の側壁外面に、基端部に設けた薄肉部を切断することにより除去可能なフックを一体形成した構成が知られている（特許文献１参照）。
上記構成ではフック基端部に、幅方向全長にわたって薄肉部が形成されるだけであるので、薄肉ヒンジと同じ構成となり繰り返し折り曲げても容易に切断することはできない。
【０００３】
【特許文献１】
実開平６−５３４３８号（図１）
【０００４】
【発明が解決しようとする問題点】
この発明は上記事情に鑑みて創案されたものであって、その主たる課題は、販売展示においては吊下げ用として使用しうる吊下げ片部を、不要時には簡単に切断することができるようにした陳列用収納ケースを提供することにある。
【０００５】
【問題点を解決するための手段】
この発明は上記事情に鑑みて創案されたものであって、請求項１の発明では、ケース本体と蓋体とを備え、上記ケース本体または蓋体の外壁面に、基端部に設けた薄肉部を切断することにより除去可能な吊下げ片部を一体形成したプラスチック製の陳列用収納ケースにおいて、
吊下げ片部の基端部に設けられた薄肉部が、吊下げ片部の広面の少なくとも一方の面に形成された広面側薄肉部と、該広面側薄肉部の長手方向の少なくとも一方の端部で内向きに切り欠かれた端部側切欠部とからなっている、という技術的手段を講じている。
また、請求項２の発明では、
前記広面側薄肉部が吊下げ片部の広面の一方または双方の面に形成されており、端部側切欠部が、広面側薄肉部の長手方向の両端に形成されている、という技術的手段を講じている。
更に、請求項３の発明では、
前記広面側薄肉部に１または複数の貫通孔部が形成されている、という技術的手段を講じている。
【０００６】
【発明の実施の形態】
以下に、この発明の陳列用収納ケースの好適実施例について図面を参照しながら説明する。
図１および図７から８に示す陳列用収納ケース１は、プラスチックの一体成型品からなっており、ケース本体１０と蓋体２０とを備え、本実施例ではケース本体１０の側壁面１０ｃに吊下げ片部２をその基端部に設けた薄肉部５を介して一体に形成した構成からなっている。
【０００７】
ここで、吊下げ片部２の取付箇所は、ケース本体１０に限らず、蓋体２０であってもよい。
また、側壁部に限らず、外壁面であればいずれの箇所でもよい。
【０００８】
吊下げ片部２は、陳列用保持部材（図示せず）に掛止めるための掛止め用の貫通孔３を有しているが、吊下げ片部２の掛止構造は後述の図６に示すようにフック形状でもよく、その掛止め構成は特に限定されるものではない。
【０００９】
前述のように、この吊下げ片部２の基端部には薄肉部５が設けられている。
この薄肉部５は吊下げ片部２の基端、即ち、本実施例の場合はケース本体との連結部分で、その広面側に形成された広面側薄肉部６と、該広面側薄肉部６の長手方向の端部で切り欠かれる端部側切欠部７とからなっている（図４参照）。
【００１０】
図２に示す薄肉部５は、吊下げ片部２の広面となる片面で、漸次ケース本体側に向かって薄くなっており、裏面は扁平な面となっているので、下端となるケース本体との連結部分が一番薄くなるように広面側薄肉部６が形成されている。
【００１１】
また、図３に示す薄肉部５は、吊下げ片部２の広面となる双方で、漸次ケース本体側に向かって薄くなっており、同様に下端となるケース本体との連結部分が一番薄い略Ｖ字状となるように広面側薄肉部６が形成されている。
【００１２】
次に、端部側切欠部７は、上記広面側薄肉部６の一端または両端（図示例では両端）に形成される。
即ち、図１および図４に示すように、端部側切欠部７は中央に向かって漸次内向きに切り欠かれている。
【００１３】
このように構成されているので、薄肉部５は、ケース本体と接続している連結部分が最も薄く、且つ最も短い長さとなっており、広面側からおよびその端部側から内向きに切欠かれており、使用者が吊下げ片部２を分離する際に切断しやすくなっている。
【００１４】
次に、図５に示す陳列用収納ケース１では、吊下げ片部２の前記薄肉部５に１または複数（図示例では３つ）の貫通穴部８が穿設されている。
これにより、薄肉部５のケース本体と接続している部分の面積が少なくなるので、使用者が吊下げ片部２を分離する際に一層切断しやすくなっている。
【００１５】
本実施例の吊下げ片部２では、掛止め用の貫通孔３と前記薄肉部５との間に、指で把持するための幅を有して左右に延びる把持スペース部９を設けている（図１および図４参照）。
従って、吊下げ片部２を分離する際には、使用者は把持スペース部９の表面と裏面を２本の指先で挟んで押さえ、これを捻ることにより、容易に吊下げ片部２を薄肉部５で切り離すことができる。
【００１６】
上記実施例では吊下げ片部２の掛止め構造として貫通孔３を例示したが、公知のフック形状であってもよい。
貫通孔に代えてフック３’とする場合も、前述の把持スペース部９を設ければ薄肉部５を切り離しやすく好ましい（図６参照）。
【００１７】
次ぎに、この吊下げ片部２が連接されている収納ケース１は、図７および図８に示すようにケース本体１０と蓋部２０および上記ケース本体１０に蓋体２０を回転自在に接続する薄肉状のヒンジＨとからなっている。
【００１８】
ケース本体１０は、上面が開放された略箱型からなっており、図示例の場合、水平面の底面壁部１０ａと、該底面壁部１０ａの三方を覆って立設される背面壁部１０ｂおよび左右一対の側面壁部１０ｃとを有し、前記背面壁部１０ｂに対向する前面壁部では中央に開口部１１を設けている。
この開口部１１は、下方に向かって漸次幅狭となる略倒立梯形状の空間からなっており、この開口部１１の左右に設けられた前面部が、ケース本体１０の高さの中途位置まで延びる略台形の片からなる左右一対の下肩壁部１２を構成している。
【００１９】
一方、蓋体２０は、前記底壁面部１０ａに対向する頂壁部２０ａと、該頂壁部２０ａの左右の側面で、収納ケース１を閉じた際に前記ケース本体１０の側面壁部１０ｃの上端が衝合する部分を避けて、その内側となるようにずれた位置に設定された左右一対の側片部２０ｃとを有し、前面部には頂壁部２０ａの前端から垂下する覆片２１を有している。
【００２０】
この覆片２１は、前記開口部１１を覆うものであり、略倒立梯形状からなっており、その左右両側には、収納ケース１を閉じた際に、前記下肩壁部１２と同一面上で隙間無く接する上肩壁部２２が連設されている。
図示例の場合、上肩壁部２２の下端縁部２２ａは水平面に設定されており、これに対応する下肩壁部１２の上端縁部１２ａも同じ長さの水平面に設定されている。
【００２１】
そして、収納ケース１を閉じた際には、下肩壁部１２の上端縁部１２ａに上肩壁部２２の下端縁部２２ａが同一面上で隙間無く衝合し、下肩壁部１２の傾斜面となる側端縁部１２ｂには前記覆片２１の同様の傾斜面に設定された側縁部２１ｂが同一面上で隙間無く衝合するようになっている。
【００２２】
このような構成のもとで、前記覆片２１の下端縁部２１ａの中央には、凹状に切欠かれて貫通した受部２３が形成されている。
一方、前記開口部１１の下端には、底面壁部１０ａの前端から突出し、上記受部２３に嵌合する突片１３が突設されている。
従って、突片１３は、収納ケース１が閉じた際にも先端部１３ａが表面に表れており、この部分を手掛けとして押さえて、覆片２１を容易に開けることができる。
【００２３】
突片１３の左右の側辺部１３ｂは、前記受部２３の厚み部分の側壁２３ｂと衝合するので捩れにくくなる。
また、突片１３を上向きのアングル状（図９参照）、または下向きの断面アングル状（図１０参照）に形成することにより、突片１３の強度を高め、また突片の側辺部１３ｂと受部の側壁２３ｂとの衝合面積を広くして、捩れに対して強度を高めることができる。この場合、その他の構造は前記実施例と同様である。
【００２４】
次に、前記蓋体２０は、その側壁部２０ｃが、収納ケースを閉じた際にケース本体１０の側面壁部１０ｃの内側に重なって配置されており、ゴミや埃の浸入を防ぐもので、ケース本体１０の側面壁部１０ｃに比べて縦幅が短く、上肩壁部２２の内面に連接する先端側の縦幅が高くなるように設定されている。
【００２５】
一方、ケース本体１０の下肩壁部１２には、該下肩壁部１２より上方に突出する杆状の補強リブ１４を一体に設けている。
この補強リブ１４は、収納ケース１を閉じた際に、前記蓋体２０の側片部２０ｃをケース本体１０の側面壁部１０ｃと共に左右から挟むように配置されている。
【００２６】
従って、収納ケース１を閉じた際に、収納ケース１を開く前面側での前述の上肩壁部２２と下肩壁部１２との掛止めと共に、上肩壁部２２と接する側片部２０ｃをケース本体１０の側面壁部１０ｃと補強リブ１４の間の隙間に嵌め込んで拘束するので、これらの拘束によって、蓋体２０は捩れにくくなる。
【００２７】
次ぎに、この収納ケースは、上記補強リブ１４と共に、または補強リブ１４に代えて、前記下肩壁部１２の上端端縁１２ａと、上肩壁部２２の下端縁２２ａに、凹凸係合可能な掛止構成部１５、２５を設けてもよい。
図１１に示す収納ケース１は、前記下肩壁部１２の上端端縁１２ａにＵ状の溝からなる掛止構成部（受部）１５が形成されており、上肩壁部２２の下端縁部２２ａには、上記掛止構成部１５に係脱可能なＵ状の片からなる掛止構成部（突部）２５が一体に形成されている。
その他の構成は前記実施例と同様である。
【００２８】
また、図１２に示す収納ケース１では、前記下肩壁部１２の上端端縁１２ａにＵ状状の片からなる掛止構成部（突部）１５が形成されており、上肩壁部２２の下端縁部２２ａには、上記掛止構成部１５に係脱可能なＵ状の溝からなる掛止構成部（受部）２５が一体に形成されている。
図示例の場合、補強リブ１４を設けなかったが、設けてもよい。
その他の構成は前記実施例と同様である。
従って、この場合も、収納ケース１を閉じた際には、上記凹部１５と突部２５とが嵌合・係止するので、これらの拘束によって、蓋体２０は捩れにくくなる。
【００２９】
この発明の収納ケースは、蓋体とケース本体とがヒンジ部で連結されたプラスチックケースからなるものであればよく、背面側となる壁部はケース本体に一体に形成されるものでなくてもよい。
例えば、蓋体側に背面壁部が一体に形成されて、ヒンジ部を介してケース本体の底面壁部と連接するもの、あるいは背面壁部の両側にヒンジ部が設けられて、それぞれケース本体の底面壁部および蓋体の頂壁部と連接するものであってもよい。
【００３０】
なお、この発明は、陳列用収納ケースに関するものであるから、この内部に収納する物品は特に限定されるものではない。
その他、要するにこの発明の要旨を変更しない範囲で種々設計変更しうること勿論である。
【００３１】
【発明の効果】
この発明は、上記構成からなっているので、吊下げ片部を用いて販売展示においては陳列用収納ケースとして使用することができ、不要時には吊下げ片部を簡単に切断することができる。
【図面の簡単な説明】
【図１】陳列用収納ケースの実施例を示す正面図である。
【図２】広面側薄肉部が吊下げ片部の広面の一方に形成された場合の側面図である。
【図３】広面側薄肉部が吊下げ片部の広面の双方に形成された場合の側面図である。
【図４】吊下げ片部の拡大斜視図である。
【図５】薄肉部に貫通穴部を有する異なる実施例の正面図である。
【図６】吊下げ片部にフックを設けた別の実施例を示す正面図である。
【図７】陳列用収納ケースの蓋体を僅かに開いた状態の斜視図である。
【図８】陳列用収納ケースの蓋体を全開した状態の斜視図である。
【図９】突片の異なる実施例を示す陳列用収納ケースの斜視図である。
【図１０】突片の別の実施例を示す陳列用収納ケースの斜視図である。
【図１１】下肩壁部と上肩壁部の衝合面に凹凸係合する掛止構成部を設けた異なる実施例を示す陳列用収納ケースの斜視図である。
【図１２】掛止構成部の別の実施例を示す陳列用収納ケースの斜視図である。
【符号の説明】
１　　陳列用収納ケース
２　　吊下げ片部
３　　貫通孔
５　　薄肉部
６　　広面側薄肉部
７　　端部側薄肉部
８　　貫通穴部
９　　把持スペース部
１０　　ケース本体
２０　　蓋体
【図１】
2004121692.tif 000003
【図２】
2004121692.tif 000004
【図３】
2004121692.tif 000005
【図４】
2004121692.tif 000006
【図５】
2004121692.tif 000007
【図６】
2004121692.tif 000008
【図７】
2004121692.tif 000009
【図８】
2004121692.tif 000010
【図９】
2004121692.tif 000011
【図１０】
2004121692.tif 000012
【図１１】
2004121692.tif 000013
【図１２】
2004121692.tif 000014